(57)【特許請求の範囲】
【請求項１】
メーターボックスが載置されるメーターボックス用台座であって、
台座本体を備え、
該台座本体の下部には、掘削箇所の底面となる掘削底面に接する接地面が形成され、
該台座本体の上部には、メーターボックスの下端が接する載置面が形成され、
当該メーターボックス用台座における平面視中央を含む位置に中央開口部を有し、
さらに、該台座本体における前記中央開口部よりも平面視外側の位置には、上下方向に貫通する排水用貫通孔部が別途設けられ、
該排水用貫通孔部の上端開口は前記載置面に形成され、下端開口は前記接地面に形成されている
ことを特徴とするメーターボックス用台座。
【請求項２】
メーターボックスが載置されるメーターボックス用台座であって、
台座本体を備え、
該台座本体の下部には、掘削箇所の底面となる掘削底面に接する接地面が形成され、
該台座本体の上部には、メーターボックスの下端が接する載置面が形成され、
さらに、該台座本体には、上下方向に貫通する排水用貫通孔部が設けられ、
該排水用貫通孔部の上端開口は前記載置面に形成され、下端開口は前記接地面に形成されており、
前記台座本体には、前記載置面と前記接地面とそれぞれ連続し、該載置面から該接地面に向かうに従って該メーターボックス用台座における平面視中央へ向かって下方傾斜する傾斜側面が設けられ、
該傾斜側面に上端開口が形成され、前記接地面に下端開口が形成されている排水用貫通孔部がさらに設けられている
ことを特徴とするメーターボックス用台座。
【請求項３】
メーターボックスが載置されるメーターボックス用台座であって、
台座本体を備え、
該台座本体の下部には、掘削箇所の底面となる掘削底面に接する接地面が形成され、
該台座本体の上部には、メーターボックスの下端が接する載置面が形成され、
前記台座本体には、前記載置面と前記接地面とそれぞれ連続し、該載置面から該接地面に向かうに従って該メーターボックス用台座における平面視中央へ向かって下方傾斜する傾斜側面が設けられ、
該傾斜側面に上端開口が形成され、前記接地面に下端開口が形成されている排水用貫通孔部が上下方向に貫通状に設けられている
ことを特徴とするメーターボックス用台座。
【発明の詳細な説明】
【技術分野】
【０００１】
本発明は、水道のメーターボックスが載置されるメーターボックス用台座に関する。
【背景技術】
【０００２】
従来から、地中に埋設された水道のメーターや止水栓等を地上から視認可能とするためのメーターボックスが使用されている。具体的には、かかるメーターボックスはメーター周囲を掘削して埋設され、メーターボックスの蓋面が地面に露出した状態で、メーターボックスの下端が掘削した部位の底面に接触した状態となる。しかしながら、メーターボックスを設置した箇所の地盤が軟らかいと、徐々にメーターボックスが掘削底面にめり込んでしまい、地中に沈下してしまうことがある。
【０００３】
そこで、例えば特許文献１には、コンクリートベースやレンガ等を敷いてその上にメーターボックスを載置することで、メーターボックスが地中へ沈下してしまうことを防止する構成が開示されている。
【先行技術文献】
【特許文献】
【０００４】
【特許文献１】実用新案登録第３１６０１３２号公報
【発明の概要】
【発明が解決しようとする課題】
【０００５】
しかしながら、上記特許文献１に開示されている構成は、コンクリートベース上部に土砂が堆積してしまったり、メーターボックスの底に雨水が溜まってしまい悪臭を発生させてしまったりする問題がある。
【０００６】
そこで本発明は、メーターボックスの台座上に土砂が堆積することを防止すると共に、メーターボックスの台座上に雨水が溜まってしまうことを防止するメーターボックス用台座を提供することを目的とする。
【課題を解決するための手段】
【０００７】
本発明は、メーターボックスが載置されるメーターボックス用台座であって、 台座本体を備え、 該台座本体の下部には、掘削箇所の底面となる掘削底面に接する接地面が形成され、該台座本体の上部には、メーターボックスの下端が接する載置面が形成され、当該メーターボックス用台座における平面視中央を含む位置に中央開口部を有し、さらに、該台座本体における前記中央開口部よりも平面視外側の位置には、上下方向に貫通する排水用貫通孔部が別途設けられ、該排水用貫通孔部の上端開口は前記載置面に形成され、下端開口は前記接地面に形成されていることを特徴とするメーターボックス用台座である。
【０００８】
かかる構成にあって、メーターボックスを伝って流下する雨水は、メーターボックス用台座の載置面において前記排水用貫通孔部内に流入し、そして、掘削底面に排出され、地中に浸透する。このため、メーターボックス内に雨水が溜まりにくくなり、検針作業時においてメーターや止水栓等が水没しにくくなって作業に支障をきたさない。また、メーターボックス用台座の上部に雨水が滞留してしまうことが抑制され、悪臭の発生を好適に防止することができる。また、メーターボックス内に入り込んだ土砂も、雨水と共に前記排水用貫通孔部内に流入させることができるため、台座本体上部に土砂を堆積しにくくすることができる。
【０００９】
また、メーターボックスが載置されるメーターボックス用台座であって、台座本体を備え、該台座本体の下部には、掘削箇所の底面となる掘削底面に接する接地面が形成され、該台座本体の上部には、メーターボックスの下端が接する載置面が形成され、さらに、該台座本体には、上下方向に貫通する排水用貫通孔部が設けられ、該排水用貫通孔部の上端開口は前記載置面に形成され、下端開口は前記接地面に形成されており、前記台座本体には、前記載置面と前記接地面とそれぞれ連続し、該載置面から該接地面に向かうに従って該メーターボックス用台座における平面視中央へ向かって下方傾斜する傾斜側面が設けられ、該傾斜側面に上端開口が形成され、前記接地面に下端開口が形成されている排水用貫通孔部がさらに設けられていることを特徴とするメーターボックス用台座も望ましい。
【００１０】
また、本発明は、メーターボックスが載置されるメーターボックス用台座であって、台座本体を備え、該台座本体の下部には、掘削箇所の底面となる掘削底面に接する接地面が形成され、該台座本体の上部には、メーターボックスの下端が接する載置面が形成され、前記台座本体には、前記載置面と前記接地面とそれぞれ連続し、該載置面から該接地面に向かうに従って該メーターボックス用台座における平面視中央へ向かって下方傾斜する傾斜側面が設けられ、該傾斜側面に上端開口が形成され、前記接地面に下端開口が形成されている排水用貫通孔部が上下方向に貫通状に設けられていることを特徴とするメーターボックス用台座である。
【００１１】
上述した構成にあっても、前記傾斜側面を雨水が流下可能であるため、メーターボックス用台座の載置面に雨水が滞留してしまうことをより一層効率良く防止することができる。また、該傾斜側面に上端開口が形成された排水用貫通孔部が設けられることで、傾斜側面を流下する雨水を該排水用貫通孔部を介して地中に浸透させることができるため、雨水の排水効率を向上させることができる。また、前記傾斜側面が、メーターボックス用台座の平面視中央へ向かって下方傾斜する構造であると、メーターボックス用台座の中央に配される作業スペースを十分大きく確保することができる利点がある。加えて、台座本体の側壁においては、上端から下端に向かう程、厚肉となって壁厚が大きくなるため、下方ほど高くなる土圧に対して好適に強度を確保することができる。また、前記接地面の面積を十分に確保することが可能となるため、掘削底面において荷重を分散させてメーターボックス用台座の沈下を好適に抑制することができる。
【発明の効果】
【００１２】
本発明のメーターボックス用台座は、雨水の滞留を防止することができると共に、土砂の堆積を防止することができる効果がある。
【図面の簡単な説明】
【００１３】
【図１】実施例１にかかるメーターボックス用台座の台座本体を示し、（ａ）は平面図、（ｂ）は正面図である。
【図２】実施例１にかかる台座本体を示し、（ａ）は図１（ａ）におけるＡ−Ａ線端面図、（ｂ）は図１（ａ）におけるＢ−Ｂ線端面図である。
【図３】メーターボックスが取り付けられた状態を上方から示すメーターボックス用台座の斜視図である。
【図４】メーターボックスが取り付けられた状態を下方から示すメーターボックス用台座の斜視図である。
【図５】メーターボックスを取り付けたメーターボックス用台座を地中に埋設した状態を示す横断面図である。
【図６】メーターボックスを取り付けたメーターボックス用台座を地中に埋設した状態を示す部分切欠側断面図である。
【図７】排水用貫通孔における雨水の流下態様を説明する説明図である。
【図８】実施例２にかかる台座本体を示し、（ａ）は部分斜視図、（ｂ）は部分縦断面図である。
【図９】実施例３にかかるメーターボックス用台座の斜視図である。
【図１０】実施例４にかかるメーターボックス用台座の台座本体を示す縦断面図である。
【図１１】実施例５にかかるメーターボックス用台座の台座本体を示す縦断面図である。
【図１２】肉抜き部を備える台座本体を示す縦断面図である。
【発明を実施するための形態】
【００１４】
以下、本発明のメーターボックス用台座を具体化した実施例を詳細に説明する。なお、本発明は、下記に示す実施例に限定されることはなく、適宜設計変更が可能である。
【００１５】
〔実施例１〕
図１〜図７に本実施例にかかるメーターボックス用台座１を示す。
該メーターボックス用台座１は、図１，図２に示すような台座本体２１を具備している。該台座本体２１は、平面視略コの字状をなし、該台座本体２１の下部には、ほぼ水平な接地面３１が形成されている。一方、該台座本体２１の上部には、ほぼ水平な載置面３３が形成されている。
【００１６】
なお、前記接地面３１は、施工現場における掘削箇所の掘削底面１００（図６参照）に直接接する面となる。また、前記載置面３３は、以下に述べるメーターボックス１１が載置される面となり、該メーターボックス１１を取り付けるためのネジ孔５１が設けられている。
【００１７】
かかる構成にあって、図３，図４に示すように、前記台座本体２１が一対準備され、該一対の台座本体２１，２１が、一つのメーターボックス１１の下部において対向状に取り付けられて使用される。
【００１８】
さらに詳述すると、前記メーターボックス１１は、上下方向に開口した筒形状のボックス本体２を備え、該ボックス本体２の上面開口を被覆するように蓋体５が開閉自在に取り付けられている。また、該ボックス本体２には、水道管８１（図５参照）を通すための溝部７が対向する壁面に各々設けられている。
【００１９】
さらに、前記ボックス本体２の下端には、ほぼ水平で外向きに突出するフランジ４が形成されており、該フランジ４には、上下に貫通する固定ネジ用孔６（図６参照）が設けられている。
【００２０】
そして、図３等に示すように、前記メーターボックス１１の固定ネジ用孔６に固定ネジ６１が挿入され、前記台座本体２１のネジ孔５１に該固定ネジ６１が螺着されることで、メーターボックス１１が台座本体２１の載置面３３上に配置された状態で相互が移動不能に組み付けられる。なお、一対の台座本体２１，２１は、該メーターボックス１１の溝部７を下方から閉塞しないように互いに離間して配設されている。
【００２１】
そして、かかる組み付け状態において、図５，図６に示すように、前記メーターボックス１１は、メーター８２と止水栓８３とが取り付けられた水道管８１を通すように配置されて、地中に埋設される。
【００２２】
具体的には、メーターボックス１１の蓋５と地表面とが面一となるような深さまでメーターボックス１１が埋設され、掘削箇所の底面となる掘削底面１００に対して、前記メーターボックス用台座１における台座本体２１の接地面３１が接した状態となる。
【００２３】
また、本実施例におけるメーターボックス用台座１の前記台座本体２１にあっては、図２等に示すように、前記載置面３３と前記接地面３１とそれぞれ連続した傾斜側面３５が形成されている。さらに詳述すると、該傾斜側面３５は、メーターボックス１１とメーターボックス用台座１とが組み付けられた状態で、該メーターボックス用台座１の平面視中央に向かって（すなわち、他方の台座本体２１に向かって）下方傾斜している。
【００２４】
さらに、前記台座本体２１には、図２に示すように、排水用貫通孔４１，４２，４３が複数設けられている。各排水用貫通孔４１，４２，４３は、前記台座本体２１を上下方向に貫通しており、断面円形状とされている。具体的には、第１の排水用貫通孔４１は、図２（ａ）に示すように、前記載置面３３に上端開口４１１が形成され、前記接地面３１に下端開口４１２が形成されている。また、第２の排水用貫通孔４２は、図２（ａ）に示すように、前記傾斜側面３５に上端開口４２１が形成され、前記接地面３１に下端開口４２２が形成されている。さらに、第３の排水用貫通孔４３は、図２（ｂ）に示すように、前記載置面３３と前記傾斜側面３５とに跨がって上端開口４３１が形成され、前記接地面３１に下端開口４３２が形成されている。
【００２５】
なお、前記第１の排水用貫通孔４１の上端開口４１１と第３の排水用貫通孔４３の上端開口４３１にあっては、上方に向かって拡径するテーパー部が形成されており、上端開口４１１，４３１が下端開口４１２，４３２よりも径大となっている。
【００２６】
これまでに述べたメーターボックス用台座１にあっては、図７に示すように、メーターボックス１１の内壁を伝って流下する雨水は、メーターボックス用台座１の載置面３３において前記第１及び第３の排水用貫通孔４１，４３内に流入し、そして、掘削底面１００に排出され、地中に浸透する。このため、メーターボックス用台座１の上部に雨水が滞留してしまうことが抑制され、悪臭の発生を好適に防止することができる。また、メーターボックス１１内に入り込んだ土砂も、雨水と共に前記排水用貫通孔４１，４３内に流入させることができるため、メーターボックス用台座１上に土砂が堆積しにくくなる。
【００２７】
加えて、メーターボックス用台座１には傾斜側面３５が形成されており、しかも該傾斜側面３５にも、第２の排水用貫通孔４２が形成されているため、前記傾斜側面３５を雨水が流下可能となり、前記載置面３３に雨水が滞留してしまうことをより一層効率良く防止することができると共に、傾斜側面３５を流下する雨水を地中に浸透させることができる。
【００２８】
また、前記メーターボックス用台座１の傾斜側面３５は、平面視中央に向かって下方傾斜する構造であるため、メーターボックス１１の蓋５を開放した際に作業者から視認される載置面３３を可及的に小さくすることができ、これにより、メーターボックス１１内の作業スペースが十分確保されることとなって、メーター８２や止水栓８３の点検や操作等が行いやすい。
【００２９】
さらに、台座本体２１の側壁が、下方に向かうほど厚肉となって壁厚が大きくなるため、下方ほど高くなる土圧に対して好適に強度を確保することができる。また、メーターボックス１１の自重によって上側から荷重がかかっても、前記台座本体２１の接地面３１の面積が十分確保されているため、掘削底面１００において荷重を分散させてメーターボックス用台座１の沈下を好適に抑制することができる。
【００３０】
〔実施例２〕
実施例２のメーターボックス用台座１３を、図８に従って説明する。なお、実施例１と同様の構成を有するものは同じ符号を付して説明を省略する。
【００３１】
図８に示すように、メーターボックス用台座１３における台座本体２３の載置面３３には、排水用貫通孔４７に向かって下方傾斜する案内面３８が形成されている。かかる案内面３８が形成されることによって、雨水や土砂が排水用貫通孔４７に流下し易くなる。なお、本実施例の形態に限定されることはなく、例えば傾斜側面３５に案内面３８が形成されていてもよい。また、本実施例における排水用貫通孔４７の横断面形状は、矩形状とされているが、これに限定されることはない。
【００３２】
〔実施例３〕
実施例３のメーターボックス用台座１４を、図９に従って説明する。なお、実施例１，２と同様の構成を有するものは同じ符号を付して説明を省略する。
【００３３】
図９に示すように、台座本体２４をほぼ平面視ロ字状の単一構造とし、一つのメーターボックス１１が単一のメーターボックス用台座１４に載置される構成としてもよい。かかる構成にあっても、上記実施例１と同様に、予めメーターボックス１１にメーターボックス用台座１４を組み付けた状態で埋設作業が行われることが好適である。
【００３４】
〔実施例４〕
実施例４のメーターボックス用台座１５を、図１０に従って説明する。なお、実施例１〜３と同様の構成を有するものは同じ符号を付して説明を省略する。
【００３５】
図１０に示すように、メーターボックス用台座１５における台座本体２５は、傾斜側面３５を具備しておらず、載置面３３と接地面３１とに、垂直な壁面が連続し、該壁面に沿って排水用貫通孔４８が形成されている。
【００３６】
〔実施例５〕
実施例５のメーターボックス用台座１６を、図１１に従って説明する。なお、実施例１〜４と同様の構成を有するものは同じ符号を付して説明を省略する。
【００３７】
図１１に示すように、メーターボックス用台座１６は、傾斜側面３５にのみ排水用貫通孔４２が形成されている。
【００３８】
かかる構成も、前記傾斜側面３５を雨水が流下可能であるため、メーターボックス用台座１６の載置面３３に雨水が滞留してしまうことをより一層効率良く防止することができる。また、該排水用貫通孔４２によって、傾斜側面３５を流下する雨水を地中に浸透させることができ、より一層、雨水の排水効率を向上させることができる。
【００３９】
また、上記実施例１〜５以外にも、例えば各部の寸法形状は適宜自由に選択可能である。また、材料も特に限定されず、合成樹脂や金属、あるいは透水性コンクリート等が用いられてよい。また、排水用貫通孔４１，４２，４３，４７，４８は断面円形や断面四角形以外の形状であっても構わない。また、排水用貫通孔４１，４２，４３，４７，４８は長孔形状であってもよい。また、図１２に示すように、軽量化を図るべく、台座本体２１，２３，２４，２５，２６内に欠損部で構成されたいわゆる肉抜き部５０を設けてもよい。特に、排水用貫通孔４１、４２，４３，４７，４８と肉抜き部５０とを連続状に形成することで、製造が容易となったり、省スペース化が図れたりする利点がある。また、傾斜側面３５の傾斜角度は、施工現場等に応じて自由に設定可能である。また、傾斜側面３５の縦断面形状を湾曲状としてもよい。
【００４０】
また、メーターボックス１１の下部と台座本体２１，２３，２４，２５の載置面３３とを、互いに嵌合する凹凸形状を設けて固定作業を容易化するようにしてもよい。
【００４１】
なお、本発明にかかる排水用貫通孔部は、排水用貫通孔４１，４２，４３，４７，４８を含むことは勿論であり、前記排水用貫通孔４１，４２，４３，４７，４８に連続するように載置面３３や接地面３１に適宜形成される導水用の溝部や切欠部も含まれる概念である。
【符号の説明】
【００４２】
１，１３，１４，１５，１６    メーターボックス用台座
２１，２３，２４，２５，２６  台座本体
３１                          接地面
３３                          載置面
３５                          傾斜側面
４１，４２，４３，４７，４８  排水用貫通孔（排水用貫通孔部）
１００                        掘削底面
４１１，４２１，４３１        上端開口
４１２，４２２，４３２        下端開口
【図１】
0006556542.tif 000002
【図２】
0006556542.tif 000003
【図３】
0006556542.tif 000004
【図４】
0006556542.tif 000005
【図５】
0006556542.tif 000006
【図６】
0006556542.tif 000007
【図７】
0006556542.tif 000008
【図８】
0006556542.tif 000009
【図９】
0006556542.tif 000010
【図１０】
0006556542.tif 000011
【図１１】
0006556542.tif 000012
【図１２】
0006556542.tif 000013